【手続補正書】
【提出日】平成17年3月24日(2005.3.24)
【手続補正１】
【補正対象書類名】特許請求の範囲
【補正対象項目名】全文
【補正方法】変更
【補正の内容】
【特許請求の範囲】
【請求項１】
（ａ）約６０モルパーセント以上の
【化１】
2004526036.tif 000001
（式中
Ｒ1がメチルまたは水素であり、
Ｒ2がヒドロカルビル、置換ヒドロカルビル、またはそれらの混合物であり、そして好ましくは独立して酸素で置換されていないか、又は１個以上のエーテル酸素で置換されている１〜８個の炭素原子を含むアルキルである、）
ならびに芳香族炭化水素オレフィンと、アクリロニトリルと、塩素、エポキシ、およびカルボン酸からなる群から選択される１種以上の官能基を含むオレフィンモノマーと、アルキルが２〜８個の炭素を含むアクリル酸シアノアルキルとからなる群から選択される約４０モルパーセントまでの１種以上のコモノマーから本質的になり、エラストマーである第１ポリマーと、場合により硫黄もしくは過酸化物硬化系とを含んでなる組成物。
【請求項２】
Ｒ1が水素であり、かつ、Ｒ2基の少なくとも５０モル％がエチル、ブチル、またはそれらの組合せでなければならないという条件で、各Ｒ2が独立して、エチル、ブチル、メトキシエチル、エトキシエチル、またはそれらの混合物である、請求項１に記載の組成物。
【請求項３】
コモノマーがアクリロニトリルであり、Ｒ1が水素であり、Ｒ2が不飽和を含まず、エチル、ブチル、メトキシエチル、エトキシエチル、又はその混合物であり、硫黄もしくは過酸化物硬化系を含んでなる請求項２記載の組成物。
【請求項４】
一個以上のオレフィン結合を含むアルコール又は第１級アミンで第１ポリマーをエステル交換またはアミド化して第２ポリマーを製造し、場合により硫黄もしくは過酸化物硬化系で第２ポリマーを架橋することを含んでなる方法であって、第１ポリマーが架橋工程中存在する場合には第１ポリマーは請求項１、２又は３で記載されたとおりであり、
アルコールが式 ＨＲ3(ＣＲ4＝ＣＲ5Ｒ6)tＣＨ2ＯＨ を有し（こゝでＲ3と各Ｒ5はそれぞれ独立して共有結合、アルキレンもしくはアルキリデンであり、Ｒ4とＲ6はそれぞれ独立して水素もしくはアルキルであり、ｔは１、２もしくは３である）、そして第２ポリマーが、第１ポリマーと第２ポリマーの総重量の少なくとも２０重量％である方法。
【請求項５】
方法が触媒の存在下又は非存在下でのエステル交換を含み、触媒がテトラアルキルチタネートもしくはスズ化合物であり、アルコールがオレイルアルコール、リノレイルアルコール、もしくはリノレニルアルコール又はこれらの混合物であり、第１ポリマーがエステル交換またはアミド化工程の前に乾燥される請求項４に記載の方法。
【手続補正２】
【補正対象書類名】明細書
【補正対象項目名】００５３
【補正方法】変更
【補正の内容】
【００５３】
圧縮永久歪み試験のために、圧縮永久歪みペレットを１７７℃で１５分間プレス硬化し、それらの幾つかをオーブン中１７７℃で４時間さらに後硬化させる。対照試料を、ゴム用ロール機でポリアクリル酸エチルと、上記と同じ過酸化物タイプ硬化処方箋とから調製して同様に硬化させ、ペレットを同様に硬化させ、任意に後硬化させる。対照試料を、ゴム用ロール機でポリアクリル酸エチルと、上記と同じ過酸化物タイプ硬化処方とから調製して同様に硬化させ、ペレットを同様に硬化させ、そして任意に後硬化させる。揺動ディスク流動計データ（ＡＳＴＭ  Ｄ２０８４）は、ブラベンダー（Ｂｒａｂｅｎｄｅｒ）で調製した生成物が、ポリマーに結びついたなんの不飽和も含まない第２のポリアクリル酸エチル対照試料よりも速く硬化することを示す。ブラベンダー（Ｂｒａｂｅｎｄｅｒ）で製造した生成物から調製した組成物は、第２の対照よりも大きな硬化状態を示し−それは対照よりも良好な耐圧縮永久歪み性を有する。
本発明の好適な実施の態様は次のとおりである。
１．  ポリマーを架橋する方法であって、
（ａ）約６０モルパーセント以上の
【化１】
2004526036.tif 000002
ならびに芳香族炭化水素オレフィンと、アクリロニトリルと、塩素、エポキシ、およびカルボン酸からなる群から選択される１種以上の官能基を含むオレフィンモノマーと、アルキルが２〜８個の炭素を含むアクリル酸シアノアルキルとからなる群から選択される約４０モルパーセントまでの１種以上のコモノマーから本質的になる第１ポリマーを、１個以上のオレフィン結合を含むアルコールまたは第一級アミンでエステル交換またはアミド化して、前記オレフィン結合を含む側鎖を有する第２ポリマーを形成する工程と、
（ｂ）硫黄または過酸化物硬化系を用いて前記第２ポリマーを架橋する工程と
を含み、
かつ、式中、
Ｒ1がメチルまたは水素であり、
Ｒ2がヒドロカルビル、置換ヒドロカルビル、またはそれらの混合物である方法。
２．  前記第１ポリマーがエラストマーである、上記１に記載の方法。
３．  各Ｒ2が独立して、１個以上のエーテル酸素によって任意に置換された１〜８個の炭素原子を含むアルキルである、上記２に記載の方法。
４．  Ｒ1が水素であり、かつ、Ｒ2基の少なくとも５０モル％がエチル、ブチル、またはそれらの組合せでなければならないという条件で、各Ｒ2が独立して、エチル、ブチル、メトキシエチル、エトキシエチル、およびそれらの混合物からなる群から選択される、上記３に記載の方法。
５．  前記コモノマーがアクリロニトリルである、上記１に記載の方法。
６．  エステル交換が実施される、上記１、２、４または５に記載の方法。
７．  エステル交換触媒が存在する、上記６に記載の方法。
８．  前記触媒がテトラアルキルチタネートまたはスズ化合物である、上記７に記載の方法。
９．  前記アルコールが式ＨＲ3(ＣＲ4＝ＣＲ5Ｒ6)tＣＨ2ＯＨ（式中、Ｒ3および各Ｒ5はそれぞれ独立して共有結合、アルキレンまたはアルキリデンであり、Ｒ4およびＲ6はそれぞれ独立して水素またはアルキルであり、ｔは１、２または３である）を有する、上記６に記載の方法。
１０．前記アルコールが１種以上のオレイル、リノレイルまたはリノレニルアルコールである上記６に記載の方法。
１１．前記第２ポリマーが前記第１ポリマーと前記第２ポリマーとの総重量の少なくとも２０重量%であるという条件で、工程（ｂ）の間ずっと前記第１ポリマーもまた存在する、上記１に記載の方法。
１２．（ａ）約６０モルパーセント以上の
【化２】
2004526036.tif 000003
ならびに芳香族炭化水素オレフィンと、アクリロニトリルと、塩素、エポキシ、およびカルボン酸からなる群から選択される１種以上の官能基を含むオレフィンモノマーと、アルキルが２〜８個の炭素を含むアクリル酸シアノアルキルとからなる群から選択される約４０モルパーセントまでの１種以上のコモノマーから本質的になる第１ポリマーを、１個以上のオレフィン結合を含むアルコールまたは第一級アミンでエステル交換またはアミド化することによって製造された第２ポリマーと、
（ｂ）硫黄または過酸化物硬化系と
を含み、
かつ、式中、
Ｒ1がメチルまたは水素であり、
Ｒ2がヒドロカルビルおよび／または置換ヒドロカルビルである組成物。
１３．前記第１ポリマーがエラストマーである、上記１２に記載の組成物。
１４．各Ｒ2が独立して、１個以上のエーテル酸素によって任意に置換される１〜８個の炭素原子を含むアルキルである、上記１３に記載の組成物。
１５．Ｒ1が水素であり、かつ、Ｒ2基の少なくとも５０モル％がエチル、ブチル、またはそれらの組合せでなければならないという条件で、各Ｒ2が独立して、エチル、ブチル、メトキシエチル、エトキシエチル、およびそれらの混合物からなる群から選択される、上記１４に記載の組成物。
１６．前記コモノマーがアクリロニトリルである、上記１３に記載の組成物。
１７．少なくとも６０モルパーセントの
【化３】
2004526036.tif 000004
ならびに芳香族炭化水素オレフィンと、アクリロニトリルと、塩素、エポキシ、およびカルボン酸からなる群から選択される１種以上の官能基を含むオレフィンモノマーと、アルキルが２〜８個の炭素を含むアクリル酸シアノアルキルとからなる群から選択される約４０モルパーセントまでの１種以上のコモノマーから本質的になる８０重量％までのポリマーをさらに含み、かつ、式中、Ｒ1がメチルまたは水素であり、Ｒ2がヒドロカルビル、置換ヒドロカルビル、またはそれらの混合物である、上記１２に記載の組成物。
１８．（ａ）少なくとも６０モルパーセントの
【化４】
2004526036.tif 000005
ならびに芳香族炭化水素オレフィンと、アクリロニトリルと、塩素、エポキシ、およびカルボン酸からなる群から選択される１種以上の官能基を含むオレフィンモノマーと、アルキルが２〜８個の炭素を含むアクリル酸シアノアルキルとからなる群から選択される約４０モルパーセントまでの１種以上のコモノマーから本質的になるポリマーと、
（ｂ）硫黄または過酸化物硬化系と
を含み、
式中、
Ｒ1がメチルまたは水素であり、Ｒ2の少なくとも０.５モルパーセントがオレフィン性不飽和を含むという条件で、Ｒ2がヒドロカルビル、置換ヒドロカルビル、またはそれらの混合物である組成物。
１９．前記ポリマーがエラストマーである、上記１８に記載の組成物。
２０．オレフィン性不飽和を含まない各Ｒ2が独立して、１個以上のエーテル酸素によって任意に置換された１〜８個の炭素原子を含むアルキルである、上記１９に記載の組成物。
２１．Ｒ1が水素であり、かつ、不飽和を含まないＲ2が、エチル、ブチル、メトキシエチル、エトキシエチル、およびそれらの混合物からなる群から選択される、上記２０に記載の組成物。
２２．前記ポリマーが本質的に１００モル％の（Ｉ）からなる、上記１９に記載の組成物。
２３．約６０モルパーセント以上の
【化５】
2004526036.tif 000006
ならびに芳香族炭化水素オレフィンと、アクリロニトリルと、塩素、エポキシ、およびカルボン酸からなる群から選択される１種以上の官能基を含むオレフィンモノマーと、アルキルが２〜８個の炭素を含むアクリル酸シアノアルキルとからなる群から選択される約４０モルパーセントまでの１種以上のコモノマーから本質的になる８０重量％までのポリマーをさらに含み、かつ、式中、Ｒ1がメチルまたは水素であり、Ｒ2がオレフィン性不飽和を含まないという条件で、Ｒ2がヒドロカルビル、置換ヒドロカルビル、またはそれらの混合物であり、上記１８に記載の組成物。
２４．前記第１ポリマーが工程（ａ）の前に乾燥される、上記１または６に記載の方法。
２５．上記１、６または７の方法の製品。